(57)【要約】【課題】入金紙幣カセットと出金紙幣カセットとの区分運用を図った上で、その運用されるカセットに収納済みの紙幣の管理を可能とする。【解決手段】ＢＴＲ１０は、顧客からの紙幣の入出金に関与する紙幣入出口部１４１と、入金紙幣カセット１５４と、金種ごとの出金紙幣カセット１５１〜１５３と、搬送される紙幣ごとに金種を少なくとも識別する識別部１４２を備え、出金搬送の際に識別部１４２による識別が不能であった出金リジェクト紙幣を、紙幣の収納と繰り出しが可能な繰出収納カセットである入金紙幣カセット１５４に収納する。その上で、この入金紙幣カセット１５４を、少なくとも精査処理の対象カセットとする。【選択図】図６
2014016755.tif 000002
【特許請求の範囲】
【請求項１】
入金した貨幣を異なる金種の貨幣に両替して出金する自動両替取引装置であって、
前記入金した貨幣のうちの紙幣の入金および出金に関与する紙幣入出口部と、
入金紙幣の保管用に準備された入金紙幣カセットと、
両替して出金される出金紙幣の保管用に金種ごとに準備された出金紙幣カセットと、
搬送される紙幣ごとに金種を少なくとも識別する識別部を備え、前記入金紙幣を前記紙幣入出口部から前記識別部を経由して前記入金紙幣カセットに搬送して収納する収納搬送と、前記金種ごとの出金紙幣カセットから繰り出した前記出金紙幣を前記識別部を経由して前記紙幣入出口部に搬送して出金する出金搬送とを行うと共に、該出金搬送の際に前記識別部による前記識別が不能であった前記出金紙幣を、リジェクト紙幣として、紙幣の収納と繰り出しが可能な繰出収納カセットに収納する制御部と、
前記リジェクト紙幣が収納された前記繰出収納カセットを少なくとも処理の対象カセットとした上で、カセットに収納済みの全ての紙幣を繰り出して前記識別部を経由してカセット外に搬送し、前記識別部の識別結果に基づいて、カセットに収納されていた紙幣の金額と枚数とを確定する精査処理を行う精査処理実行部とを備える
自動両替取引装置。
【請求項２】
前記制御部は、前記入金紙幣カセット或いは前記金種ごとの出金紙幣カセットの少なくとも一方を前記繰出収納カセットとして扱った上で、前記リジェクト紙幣を、前記繰出収納カセットとしての前記入金紙幣カセット或いは前記金種ごとの出金紙幣カセットの少なくとも一方に収納し、
前記精査処理実行部は、前記制御部により前記リジェクト紙幣が収納された前記入金紙幣カセット或いは前記金種ごとの出金紙幣カセットを、少なくとも前記精査処理の対象カセットとする
請求項１に記載の自動両替取引装置。
【請求項３】
請求項２に記載の自動両替取引装置であって、
前記制御部は、前記入金紙幣カセットへの前記入金紙幣の入金搬送の際に、前記識別部による識別結果に基づいて、前記入金紙幣カセットに収納されていた前記入金紙幣の金種と枚数とを算出し、
前記精査処理実行部は、前記入金紙幣カセットを前記精査処理の対象カセットとした実行した前記精査処理の際に前記識別部の識別結果に基づいて確定した前記入金紙幣カセットに収納済み紙幣の金額と枚数とを、前記制御部の算出した前記入金紙幣の金種と枚数と比較して、前記入金紙幣カセットに収納された前記リジェクト紙幣の金額と枚数とを求める
自動両替取引装置。
【請求項４】
前記精査処理実行部は、前記入金紙幣カセットを前記精査処理の対象カセットとした前記精査処理の実行済みの紙幣を、前記入金紙幣カセットに収納された前記リジェクト紙幣について前記求めた金額と枚数に相当する分、前記識別部の識別結果に応じて前記金種ごとの出金紙幣カセットに収納する請求項３に記載の自動両替取引装置。
【請求項５】
請求項１に記載の自動両替取引装置であって、
前記出金紙幣カセットと前記入金紙幣カセットとは別の用途のために用意された別用途紙幣カセットを備え、
前記制御部は、前記リジェクト紙幣を、前記繰出収納カセットとしての前記別用途紙幣カセット収納し、
前記精査処理実行部は、前記制御部により前記リジェクト紙幣が収納された前記別用途紙幣カセットを、少なくとも前記精査処理の対象カセットとする
自動両替取引装置。
【発明の詳細な説明】
【技術分野】
【０００１】
本発明は、自動両替取引装置に関する。
【背景技術】
【０００２】
この種の自動両替取引装置は、自動取引装置（Automated Teller Machine;ＡＴＭ）が可能な貨幣入出金取引の内で、貨幣両替に特化した形態で広く普及している。そして、貨幣の入金の際にその受付（識別）が不可な貨幣を顧客に返却する返却口を貨幣の出金口とは別に設け、この出金口と返却口を、顧客への貨幣の返却に併用する手法が特開２０１０−２３１７８４号公報で提案されている（特許文献１）。
【先行技術文献】
【特許文献】
【０００３】
【特許文献１】特開２０１０−２３１７８４号公報
【発明の概要】
【発明が解決しようとする課題】
【０００４】
前記特許文献の技術では、出金貨幣についても識別が不可であった貨幣を元のカセットに戻したり集積部に収納した上で、識別不可紙幣が戻ったカセットについて、カセット内の貨幣額を精査しているものの、集積部を精査の対象としてはいない。これは、ＡＴＭでは、識別正常な入金紙幣をもカセットに収納して、カセットには入出金紙幣が混在することを前提としているため、識別不可紙幣が戻ったカセットを精査対象とする必然性が高いからである。また、集積部を精査の対象としないのは、その取扱権限を特定の収集者に委ねて、当該収集者による装置外での計数を前提としているためである。ところで、自動両替取引装置は、硬貨および紙幣の貨幣を取り扱うものの、硬貨に関しては、出金は所定枚数を棒状に包装した状態で出金する都合上、出金時の識別不能はあまり考慮する必要がない。しかしながら、紙幣については、その入出金が紙幣ごとの取扱なため、ＡＴＭと同様にカセットを用いるものの、入金した紙幣の保管用のカセットと出金用の紙幣の保管用のカセットとを区分して運用している点でＡＴＭと相違し、入金紙幣の収納カセットには、入金紙幣しか収納しない。また、自動両替取引装置では、識別不可であった出金紙幣をＡＴＭと同様に収集者による計数を前提とした回収カセットに収納しているに過ぎない。こうした事情から、前記特許文献の取り扱い手法を、自動両替取引装置にそのまま適用できない反面、自動両替取引装置にあっても、カセットの収納紙幣の精査が要請されるに到った。
【０００５】
そこで、本発明は、入金紙幣の保管用のカセットと出金紙幣の保管用のカセットとの区分運用を図った上で、その運用されるカセットに収納済みの紙幣の管理に有益な自動両替取引装置を提供する。
【課題を解決するための手段】
【０００６】
上記した課題を解決するために、本発明は、顧客の入金した貨幣を異なる金種の貨幣に両替して出金する自動両替取引装置であって、前記入金した貨幣のうちの紙幣の前記顧客からの入金と前記顧客への出金に関与する紙幣入出口部と、入金紙幣の保管用に準備された入金紙幣カセットと、両替して出金される出金紙幣の保管用に金種ごとに準備された出金紙幣カセットと、搬送される紙幣ごとに金種を少なくとも識別する識別部を備え、前記入金紙幣を前記紙幣入出口部から前記識別部を経由して前記入金紙幣カセットに搬送して収納する収納搬送と、前記金種ごとの出金紙幣カセットから繰り出した前記出金紙幣を前記識別部を経由して前記紙幣入出口部に搬送して出金する出金搬送とを行うと共に、該出金搬送の際に前記識別部による前記識別が不能であった前記出金紙幣を、リジェクト紙幣として、紙幣の収納と繰り出しが可能な繰出収納カセットに収納する制御部と、前記リジェクト紙幣が収納された前記繰出収納カセットを少なくとも処理の対象カセットとした上で、カセットに収納済みの全ての紙幣を繰り出して前記識別部を経由してカセット外に搬送し、前記識別部の識別結果に基づいて、カセットに収納済み紙幣の金額と枚数とを確定する精査処理を行う精査処理実行部とを備える。
【発明の効果】
【０００７】
本発明によれば、入金紙幣の保管用のカセットと出金紙幣の保管用のカセットとの区分運用を図った上で、その運用されるカセットに収納済みの紙幣の精査管理が可能な自動両替取引装置を提供することができる。
【図面の簡単な説明】
【０００８】
【図１】実施例１の自動両替取引装置（ＢＴＲ）１０の構成を概略的に示す説明図である。
【図２】ＢＴＲ１０の構成を機能的に示す説明図である。
【図３】実施例における紙幣処理装置１００の構成を概略的に示す説明図である。
【図４】３個の出金紙幣カセット１５１〜１５３についての金種の割り当て例を示す説明図である。
【図５】両替取引に伴って入金紙幣が入金紙幣カセット１５４に収納された際の入金紙幣金種とその枚数の集計結果を示す説明図である。
【図６】両替出金の前後におけるカセット内の紙幣収納の様子と出金リジェクト紙幣の収納搬送の様子とを示す説明図である。
【図７】入金紙幣カセット１５４について行う精査処理の際の出金リジェクト紙幣と入金紙幣の収納搬送の様子を示す説明図である。
【図８】入金紙幣カセット１５４についての精査処理に伴って計数および識別された紙幣金種とその枚数の集計結果を示す説明図である。
【図９】入金紙幣カセット１５４についての精査処理の際に識別不能が起きた場合の紙幣搬送の様子を示す説明図である。
【図１０】精査処理の際に識別不能とされた精査時リジェクト紙幣のリトライ処理における紙幣搬送の様子を示す説明図である。
【図１１】リトライ処理に関しての係員報知の内容を例示して示す説明図である。
【図１２】実施例２での両替出金の前後におけるカセット内の紙幣収納の様子と出金リジェクト紙幣の収納搬送の様子とを示す説明図である。
【図１３】実施例３での両替出金の前後におけるカセット内の紙幣収納の様子と出金リジェクト紙幣の収納搬送の様子とを示す説明図である。
【発明を実施するための形態】
【０００９】
以下、本発明による自動両替取引装置の実施例について、図面を用いて説明する。
【００１０】
［実施例１］
図１は実施例１の自動両替取引装置（以下、ＢＴＲと称する）１０の構成を概略的に示す説明図、図２はＢＴＲ１０の構成を機能的に示す説明図である。ＢＴＲ１０は、例えば金融機関や小売店、公共施設等に設置され、両替を所望する顧客による操作と、顧客からの両替貨幣の受け入れとを経て、顧客指定の金種の貨幣を放出する両替処理を行う装置である。
【００１１】
図１〜図２に示すように、ＢＴＲ１０は、操作部１２と、紙幣入出金口１３と、硬貨取出口１４と、包装硬貨取出口１５と、カード挿入口１６と、明細票取出口１７と、取扱状態表示部１８と、カード機構部２１０と、明細票処理装置２２０と、硬貨を取り扱う硬貨処理装置２３０と、紙幣を取り扱う紙幣処理装置１００と、ＢＴＲ１０の各部を制御する本体制御部４００と、を備えている。カード機構部２１０と明細票処理装置２２０は、カード挿入口１６と明細票取出口１７との間でカードや明細票のやりとりができるよう、装置内部に位置する。硬貨処理装置２３０は、硬貨取出口１４と包装硬貨取出口１５との間で硬貨の受け渡しができるよう、当該出口下方側に位置する。紙幣処理装置１００は、紙幣入出金口１３との間で紙幣の受け渡しができるよう、当該出口下方側に位置する。
【００１２】
操作部１２は、両替取引に必要な情報の画面表示機能と顧客の操作を検知する検知機能とを兼ね備えたユーザーインターフェースとして機能し、両替を所望する顧客が両替取引を行う際の取引操作の誘導画面を表示したり、両替金種の指定などを顧客のキー入力操作により受付ける。なお、操作部１２はタッチパネル等により構成された入力兼表示部（入力表示部ともいう）として構成することが望ましく、様々な情報を表示画面に表示し、この表示画面に含まれる色々な項目への押下ももちろん検知する。紙幣入出金口１３は、両替するために顧客が投入した紙幣を受け入れて紙幣処理装置１００に受け渡す共に、両替された紙幣を紙幣処理装置１００から受け取って顧客に放出する。硬貨取出口１４は、両替された硬貨を硬貨処理装置２３０から受け取って顧客に放出する。包装硬貨取出口１５は、両替された包装硬貨を硬貨処理装置２３０から受け取って顧客に放出する。カード挿入口１６は、両替時に顧客が投入したカードを受け入れてカード機構部２１０に受け渡すと共に、カード機構部２１０にて読み込み済みのカードを顧客に返却する。カード機構部２１０は、受け入れたカードの磁気ストライプ又はＩＣチップへのリード・ライト機能を備え、その読み取り結果を本体制御部４００に送信する。読み取ったカード情報は、両替手数料等の算出に用いられるが、本発明の要旨とは直接関係しないので、その説明は省略する。明細票取出口１７は、両替取引の内容等が明細票処理装置２２０にて印字された明細票を顧客に放出する。取扱状態表示部１８は、ＢＴＲ１０が取扱中か、取扱中止状態であるかを表示する。
【００１３】
硬貨処理装置２３０は、硬貨出金機構部２３１と、包装硬貨出金機構部２３２と、手数料硬貨入金部２３３とを備える他、ＣＰＵ、メモリー等のハード構成とプログラム、データ等のソフト構成とからなる制御部を備え、本体制御部４００の制御を受けて、顧客との間で両替取引に関わる硬貨取引を行う。つまり、硬貨出金機構部２３１は、両替後の硬貨を個別に硬貨取出口１４から顧客に払い出す。包装硬貨出金機構部２３２は、両替後の硬貨を包袋硬貨として包装硬貨取出口１５から顧客に払い出す。手数料硬貨入金部２３３は、両替取引の際の手数料徴収が必要とされた場合に、硬貨取出口１４からの硬貨投入を受け付け、その硬貨を保管する。この場合、手数料の要否やその額は、カード機構部２１０にて読み取ったカード情報に基づいて本体制御部４００にて求められる。
【００１４】
紙幣処理装置１００は、紙幣入出金制御部１１０と、搬送機構部１４０とを備え、この紙幣入出金制御部１１０は、本体制御部４００の制御を受けて、顧客との間で両替取引に関わる紙幣取引を行う。つまり、この紙幣入出金制御部１１０は、ＣＰＵ、メモリー等のハード構成とプログラム、データ等のソフト構成とを備え、本体制御部４００による制御の下、両替紙幣の入金（収納）や出金（繰り出し）、精査といった処理を行なう。なお、紙幣入出金制御部１１０は、本体制御部４００の制御の下、本発明における紙幣からの紙幣情報取得、リジェクト紙幣の収納搬送および枚数計数や正損判定結果等の紙幣管理等の機能を果たす入出金・搬送制御部１２０と、精査とこれに伴う紙幣搬送や紙幣収納の制御を図る精査・搬送制御部１３０を備える。
【００１５】
本体制御部４００は、ＢＴＲ１０の各機器制御の全体を統括すべく、ＣＰＵ、メモリー等のハード構成とプログラム、データ等のソフト構成とを備え、既述した操作部１２や、硬貨処理装置２３０、紙幣処理装置１００等を制御する。
【００１６】
図３は実施例における紙幣処理装置１００の構成を概略的に示す説明図である。紙幣処理装置１００は、その上部に搬送機構部１４０を備え、その下部を紙幣金庫部１５０とする。搬送機構部１４０は、紙幣Ｓの紙幣入出金口１３に繋がる紙幣入出口部１４１と、図示しない撮像部を有し搬送される紙幣Ｓの真偽・金種の識別、記番号の読み取り取得および計数といった処理を行う識別部１４２と、計数と識別を経た紙幣Ｓを一時的に保留する一時保留部１４３と、上記の紙幣入出口部１４１と識別部１４２と一時保留部１４３および後述の各種金種カセットとの間に種々の搬送路を形成する搬送経路部１４４とを備える。
【００１７】
搬送経路部１４４は、例えばローラーやベルト、搬送経路を切り替えるゲート等を用いて構成される。そして、この搬送経路部１４４は、紙幣入出口部１４１と識別部１４２とを、一時保留部１４３と識別部１４２とを、および、後述の各種金種カセットと識別部１４２とを、それぞれ結ぶ往復軌道の搬送路やこれらをループ状に結ぶ無限軌道上の搬送路を、適宜、合流・分岐させることで、種々の搬送経路を形成する。具体的には、搬送経路部１４４は、紙幣入出金口１３から受け入れた紙幣Ｓを紙幣入出口部１４１から識別部１４２を経由して一時保留部１４３に搬送する搬送経路ｋ１を形成する。この他に形成される経路としては、紙幣入出金口１３から受け入れた紙幣Ｓを紙幣入出口部１４１から識別部１４２を経由して紙幣入出口部１４１に返却する搬送経路ｋ２、一時保留部１４３に一時保留した紙幣Ｓを一時保留部１４３から識別部１４２を経由して後述の各種金種カセットのそれぞれに搬送する搬送経路ｋ３、後述の各種金種カセットの間での紙幣Ｓの搬送を識別部１４２を経由して行う搬送経路ｋ４等があり、この逆の経路についても搬送経路部１４４にて形成される。また、搬送経路部１４４は、搬送経路ｋ４から各種金種カセットへの紙幣収納と各カセットからの紙幣受取も行うよう、構成されている。
【００１８】
紙幣金庫部１５０は、紙幣を金種別に収納する複数のカセットを並べて備え、金種ごとの出金紙幣カセット１５１〜１５３と、入金紙幣カセット１５４と、装填補充用紙幣カセット１５５と、分配リジェクト回収部１５６と、リジェクト回収部１５７と、取忘れ回収部１５８とを備える。出金紙幣カセット１５１〜１５３は、両替して出金される出金紙幣を保管するために金種ごとに準備される。出金紙幣カセットの個数を多くすれば多種類の紙幣への両替取引が可能となるが、ＢＴＲ１０の奥行き寸法の制約や１カセット当たりの収納容量を大きく確保する上から、出金紙幣カセットを図示するように３個程度、準備することが一般的である。仮に、寸法制約が緩めば、４個以上の出金紙幣カセットを金種ごとに準備することもできる。また、用意した３個の出金紙幣カセット１５１〜１５３について、その金種の割り当てを種々の態様とできる。つまり、ＢＴＲ１０の設置環境や顧客の両替取引の傾向等によって、３個の出金紙幣カセット１５１〜１５３の金種を種々割り当てできる。図４は３個の出金紙幣カセット１５１〜１５３についての金種の割り当て例を示す説明図である。図４の上段の態様では、千円、５千円の２種類の金種の紙幣を出金用の両替紙幣として出金することを意図し、ＢＴＲ１０として常用されている。この場合、千円紙幣への両替取引はその頻度が高いことから、２個の出金用紙幣カセットが千円の金種に割り当てられている。下段の態様は、万円紙幣への両替あるいは万円の新券紙幣への両替といった需要に応えることを意図して、千円、５千円、万円の３種類の金種に金種ごとに一つのカセットが割り当てられている。
【００１９】
入金紙幣カセット１５４は、顧客が両替を所望して入金した紙幣（入金紙幣）を収納するために準備され、装填補充用紙幣カセット１５５は、出金紙幣カセット１５１〜１５３の紙幣（出金紙幣）を補充する際に用いられる。分配リジェクト回収部１５６は、紙幣の装填補充の際に生じたリジェクト紙幣を収納するために用いられる。取忘れ回収部１５８は、両替紙幣として紙幣入出口部１４１に搬送した出金紙幣を顧客が取り忘れた際に、紙幣入出口部１４１から回収して収納する。リジェクト回収部１５７は、既存のＢＴＲでは、リジェクト紙幣の収納のために用いられているが、本実施例では、分配リジェクト回収部１５６の予備、或いは、後述する出金紙幣の入金紙幣カセット１５４への収納後に行う精査処理完了の際の紙幣保管用に用いる。つまり、本実施例のＢＴＲ１０は、出金搬送の際に生じたリジェクト紙幣を入金紙幣カセット１５４に収納するので、敢えてリジェクト回収部１５７を用いる必要はない。その一方で、ＢＴＲ１０の装置寸法やカセット寸法は、既存のままであるので、リジェクト回収部１５７をそのまま備える。
【００２０】
上記の出金紙幣カセット１５１〜１５３と入金紙幣カセット１５４および装填補充用紙幣カセット１５５は、搬送経路部１４４が形成する搬送路に対して、搬送されている紙幣の受け取りとカセット内紙幣の繰り出しを行う収納繰り出し機構１５９を備える。この収納繰り出し機構１５９は、搬送経路部１４４と共に紙幣入出金制御部１１０（詳しくは図２の入出金・搬送制御部１２０や精査・搬送制御部１３０）の制御を受け、搬送されてくる紙幣のカセット内への収納と、カセット内の紙幣を繰り出して搬送路に受け渡す紙幣繰り出しとを行う。よって、収納繰り出し機構１５９を有する出金紙幣カセット１５１〜１５３と入金紙幣カセット１５４および装填補充用紙幣カセット１５５は、紙幣Ｓを入出金可能な状態で搬送路と接続され、搬送路から紙幣Ｓを受け入れて収納すると共に、紙幣Ｓをカセットから繰り出して搬送路上に送り出すことになる。
【００２１】
装填補充用紙幣カセット１５５は、本実施例における両替取引において紙幣入出金に関与しないが、出金紙幣カセット１５１〜１５３への紙幣補充において、搬送路への紙幣受渡を行う。つまり、出金紙幣カセット１５１〜１５３に保管した出金紙幣に不足が起きると、補充用の各種金種の紙幣を収納済みの装填補充用紙幣カセット１５５がセットされ、紙幣入出金制御部１１０は、紙幣補充を行う。この紙幣補充に当たり、紙幣入出金制御部１１０は、装填補充用紙幣カセット１５５から補充用の紙幣を１枚ずつ繰り出して搬送経路ｋ４に受け渡した上で、カセットから受け渡された補充紙幣を、搬送経路ｋ４にて搬送しつつ、識別部１４２にて計数識別し、その識別金種に応じた出金紙幣カセット１５１〜１５３に補充紙幣を収納する。こうした補充用の紙幣の搬送を、装填補充用紙幣カセット１５５が空になるまで繰り返すことで、紙幣補充が完了する。本体制御部４００は、上記の補充収納の際の識別部１４２での識別計数結果と、補充前の時点でのカセット内の紙幣枚数とから、補充完了後の紙幣収納枚数をカセットごとに確定する。なお、こうした紙幣補充の際に、識別部１４２にて識別不能とされた紙幣は、搬送経路ｋ４にて分配リジェクト回収部１５６まで搬送され、当該カセットに回収収納される。
【００２２】
本実施例では、上記のように各カセットを搬送路と接続するが、両替取引においては、出金紙幣カセット１５１〜１５３は、搬送路に出金紙幣を繰り出して受け渡し、入金紙幣カセット１５４は、搬送路から入金紙幣を受け入れて収納することになる。つまり、搬送経路部１４４による既述した経路形成により、顧客が両替取引の際に紙幣入出口部１４１に入金された入金紙幣は、この紙幣入出口部１４１から識別部１４２を経由して入金紙幣カセット１５４に搬送して収納され、金種ごとの出金紙幣カセット１５１〜１５３から繰り出した出金紙幣は、識別部１４２を経由して紙幣入出口部１４１に搬送して出金（放出）されることになる。こうした入金紙幣搬送と出金紙幣搬送を、両替取引の開始から終了までの顧客操作と合わせて、以下、説明する。なお、ＢＴＲ１０では、包袋硬貨への両替も行うが、本実施例は出金紙幣の搬送に伴う処理に特徴があるので、以下の両替取引においては、硬貨の両替放出についてはその説明を省略する。
【００２３】
顧客は、所望する両替取引を行うに当たり、操作部１２（図１参照）を操作する。この際、顧客は、両替紙幣の金種とその枚数を指定し、これに見合った額の紙幣を紙幣入出金口１３に投入する。必要であれば、顧客はカードをカード挿入口１６に挿入する。ＢＴＲ１０の本体制御部４００は、この顧客操作を受けて、両替紙幣として出金すべき金種の紙幣の枚数を把握し、紙幣の入金を受け付ける。そして、紙幣処理装置１００の紙幣入出金制御部１１０は、本体制御部４００の制御下、紙幣入出口部１４１に顧客から投入された紙幣（入金紙幣）を、１枚ずつ紙幣入出口部１４１から搬送経路部１４４の既述した搬送経路ｋ１に繰り出し、識別部１４２にて計数識別する。この際、識別部１４２にて識別不能な入金紙幣は、既述した搬送経路ｋ２にて紙幣入出口部１４１に返却され、識別部１４２にて識別可能であった入金紙幣は、識別部１４２から搬送経路ｋ１にて一時保留部１４３に搬送されて、この一時保留部１４３に一時的に収納される。本体制御部４００は、識別部１４２を経由した入金紙幣の一時保留部１４３へ収納に際し、識別部１４２からの識別結果を受け取り、入金紙幣の金種とその枚数を記憶する。仮に、この入金額が、顧客操作に伴う両替取引の出金額に不足すれば、本体制御部４００は、操作部１２に入金額が不足の旨や、その不足額を表示し、この不足額の入金を顧客に促す。一時保留部１４３に収納された紙幣は、顧客が両替済み貨幣（硬貨および／または紙幣）を全て紙幣入出金口１３や包装硬貨取出口１５から抜き取るまでの間は保持される。
【００２４】
本体制御部４００は、上記した入金紙幣の一時保留部１４３での一時的収納に続き、顧客が両替設定した金種の紙幣を顧客設定の枚数だけ出金すべく、紙幣処理装置１００の紙幣入出金制御部１１０を制御する。つまり、紙幣入出金制御部１１０は、顧客設定の金種に対応した出金紙幣カセット１５１〜１５３から紙幣を１枚ずつ繰り出して搬送経路ｋ４に受け渡した上で、カセットから受け渡された出金紙幣を識別部１４２にて計数識別する。この際、本体制御部４００は、識別部１４２からの識別結果を受け取り、出金紙幣の金種とその枚数を記憶する。この記憶結果は、出金紙幣カセット１５１〜１５３のいずれのカセットから出金されて顧客に両替放出された出金紙幣の総額、および金種ごとの出金枚数の算出に用いられる。識別部１４２にて正常に計数識別された出金紙幣は、搬送経路ｋ１にて紙幣入出口部１４１まで出金搬送され、顧客が設定した金種の紙幣が顧客設定の枚数だけ出金されるまで、この出金搬送が繰り返される。顧客が設定した金種の紙幣が顧客設定の枚数だけ紙幣入出口部１４１に搬送されると、紙幣入出金制御部１１０は、紙幣入出金口１３を開放して両替紙幣を顧客に提供する。顧客が紙幣を全て抜き取ると、紙幣入出金制御部１１０は、紙幣入出金口１３を閉鎖した上で、一時保留部１４３に一時保留した入金紙幣の入金紙幣カセット１５４への搬送収納を行う。つまり、紙幣入出金制御部１１０は、一時保留部１４３に一時保留した入金紙幣を、この一時保留部１４３から搬送経路ｋ３、識別部１４２を経由して、搬送経路ｋ４にて入金紙幣カセット１５４まで入金搬送し、入金紙幣カセット１５４に収納する。一時保留部１４３から入金紙幣カセット１５４への入金搬送の際、本体制御部４００は、識別部１４２からの識別結果を受け取り、入金紙幣の金種とその枚数を両替取引の都度に記憶する。この記憶結果は、入金紙幣カセット１５４に収納済みの入金紙幣の総額、および金種ごとの収納枚数の集計に用いられる。図５は両替取引に伴って入金紙幣が入金紙幣カセット１５４に収納された際の入金紙幣金種とその枚数の集計結果を示す説明図である。この図５は、図示する金種の紙幣が図示する枚数だけ、入金紙幣カセット１５４に収納済みであることを意味する。
【００２５】
次に、本実施例で特徴的な出金搬送の際のリジェクト紙幣の取扱について説明する。なお、説明を簡略化するため、出金紙幣カセット１５１〜１５３は、図４の上段に示したように、それぞれ千円、千円、５千円で運用されており、顧客所望の両替取引がａ枚の千円紙幣を出金紙幣として両替出金する場合を例に挙げ、出金リジェクト紙幣の取扱を以下説明する。図６は両替出金の前後におけるカセット内の紙幣収納の様子と出金リジェクト紙幣の収納搬送の様子とを示す説明図である。なお、図示の都合から、出金紙幣カセット１５１〜１５３および入金紙幣カセット１５４等のカセットを図では略称表記することとする。
【００２６】
紙幣入出金制御部１１０は、搬送機構部１４０（図３参照）を制御しつつ、図６の中段に示すように、千円札保管の出金紙幣カセット１５３から千円紙幣を１枚ずつ繰り出して、その出金紙幣を、搬送経路ｋ４に受け渡した上で識別部１４２にて計数識別し、計数識別が正常な出金紙幣については、これを搬送経路ｋ１を経て紙幣入出口部１４１に出金搬送する。こうした出金搬送を紙幣入出口部１４１への千円紙幣の搬送枚数がａ枚に達するまで継続する。この出金搬送の継続の間において、識別部１４２にて識別不能とされたリジェクト紙幣（以下、出金リジェクト紙幣と称する）は、紙幣入出金制御部１１０による搬送機構部１４０の制御により、識別部１４２から搬送経路ｋ３を経て一時保留部１４３に、一時退避の目的で搬送収納される。この場合、出金紙幣カセット１５３は、装填補充用紙幣カセット１５５を用いた紙幣補充により、新札もしくは新札に近い千円紙幣の補充を既に受けている。よって、出金紙幣カセット１５３からの出金紙幣が識別部１４２にて識別不能とされるのは、複数枚の紙幣が重なって搬送されたいわゆる連れ出しが原因であると予想される。そして、一時保留部１４３への出金リジェクト紙幣の搬送・収納は、識別部１４２での識別不能が起きるごとになされる。上記の連れ出しによる識別不能では、その枚数の計数ができないので、一時保留部１４３に収納された出金リジェクト紙幣の枚数は、通常、不知となるが、これは、後述の精査処理にて、解消される。
【００２７】
紙幣入出口部１４１への千円紙幣の搬送枚数がａ枚に達して両替のための出金搬送が終了すると、紙幣入出金制御部１１０は、搬送機構部１４０を制御しつつ、図６の下段に示すように、一時保留部１４３に収納済みの出金リジェクト紙幣である千円紙幣を１枚ずつ繰り出して、収納済み出金リジェクト紙幣の全てを、搬送経路ｋ３に受け渡した上で識別部１４２を経由して、搬送経路ｋ４を経て入金紙幣カセット１５４に収納する。ところで、入金紙幣カセット１５４への出金リジェクト紙幣の収納前の状態、即ち図６に示す上段或いは中段の状態では、既に入金紙幣カセット１５４には両替取引の際の入金紙幣が収納済みであり、この収納済み入金紙幣の総額、および金種ごとの収納枚数は、既述した入金搬送の際の識別部１４２での計数識別により、図５に示すように、既知である。そして、出金リジェクト紙幣の入金紙幣カセット１５４への収納に際しても、本体制御部４００および紙幣入出金制御部１１０は、識別部１４２からの識別結果を受け取り、出金リジェクト紙幣の金種とその枚数を記憶する。この記憶結果は、適宜、他の紙幣処理の際に用いることができる。
【００２８】
本実施例では、既述したように千円紙幣だけの両替出金に限らず、千円紙幣と五千  円紙幣が混在した両替出金も可能であり、この混在両替出金において起きる出金リジェクト紙幣についても、千円紙幣と五千円紙幣とが混在して一時保留部１４３に収納される。このため、本実施例では、一時保留部１４３から千円紙幣と五千円紙幣とが混在して出金リジェクト紙幣として繰り出されるが、その混在した出金リジェクト紙幣の全てを金種に拘わらず入金紙幣カセット１５４に収納し、後述の精査処理の対象を入金紙幣カセット１５４の収納紙幣（混在紙幣）とする。よって、本実施例では、一時保留部１４３に収納済みの出金リジェクト紙幣を入金紙幣カセット１５４に収納する際の識別部１４２での計数識別を省略することができるので、処理負荷の軽減が可能となる。また、本実施例では、混在した出金リジェクト紙幣の全てを金種に拘わらず入金紙幣カセット１５４に収納するので、識別部１４２より下流の搬送経路ｋ４での紙幣搬送において、出金リジェクト紙幣を複数のカセットに区別して収納する必要がない。加えて、出金リジェクト紙幣は、入金用だけに用意された入金紙幣カセット１５４に収納される故に、両替出金のためにカセットからの繰り出しを受けることはない。このため、紙幣搬送過程における紙幣の区分収納の機会や繰り出しを受ける機会が少ない分、紙幣に損傷を与えて紙幣状態を悪化させてしまうリスクを軽減できる。
【００２９】
次に、本実施例のＢＴＲ１０における精査処理について説明する。この精査処理は、既述したように一時保留部１４３に一時保留して入金紙幣カセット１５４に収納する出金リジェクト紙幣の枚数の不知の解消に有益である。精査処理は、カセットに収納済みの全ての紙幣の金額とその収納枚数とを確定する処理であり、定期的、或いは、カセットの紙幣収納枚数が不知となったような場合に行われ、カセットに収納済みの全ての紙幣を繰り出して識別部１４２を経由してカセット外に搬送し、その際の識別部１４２の識別結果に基づいて、カセット収納済み紙幣の金額と枚数とを確定する。本実施例では、既述したように一時保留部１４３に収納された出金リジェクト紙幣の枚数は不知であり、この枚数不知の出金リジェクト紙幣を入金紙幣カセット１５４に収納することから、入金紙幣カセット１５４を精査処理の対象とする。また、既述した出金の例では、出金紙幣カセット１５３から出金された出金紙幣が識別不能であったことから、出金後の出金紙幣カセット１５３の紙幣収納枚数も不知となるので、この出金紙幣カセット１５３についても精査処理の対象とする。勿論、定期的な精査処理の際には、出金紙幣カセット１５１〜１５３の全てが精査処理の対象となる。図７は入金紙幣カセット１５４について行う精査処理の際の出金リジェクト紙幣と入金紙幣の収納搬送の様子を示す説明図である。この図７に示す状況では、入金紙幣カセット１５４は、既述したように枚数および金種が既知の入金紙幣（図５参照）と、枚数および金種が不知の出金リジェクト紙幣とを、混在して収納している。
【００３０】
精査処理は、ＢＴＲ１０の両替取引運用を一時的に中断して行われ、例えば、係員による操作部１２の特異な操作や、図１に示す装置裏面の側からのメンテナンス専用操作を契機に開始される。紙幣入出金制御部１１０は、本体制御部４００の制御を受けながら、搬送機構部１４０（図３参照）を制御しつつ、図７の上段に示すように、入金紙幣カセット１５４から収納済み紙幣を１枚ずつ繰り出す。この場合の収納済み紙幣は、既述したように、枚数および金種が既知の入金紙幣と枚数および金種が不知の出金リジェクト紙幣とが混在した紙幣である。そして、紙幣入出金制御部１１０は、この収納済み紙幣を、搬送経路ｋ４に受け渡した上で識別部１４２にて計数識別する。この精査処理における識別部１４２での識別対象紙幣、即ち入金紙幣カセット１５４に収納済み紙幣は、既述したように両替取引に伴って正常に入金紙幣カセット１５４に入金された入金紙幣と、新札であるが故に連れ出しにて識別不能とされた出金リジェクト紙幣である。よって、精査処理の際の識別部１４２での識別は、その多くが正常になされるが、識別不能が起こることも有り得る。よって、以下の説明に当たっては、識別部１４２での識別が全て正常になされた場合を先に説明し、その後、精査処理の際の識別不能が起きた場合の処理について説明する。
【００３１】
［精査処理：識別正常］
識別部１４２での識別が正常になされれば、紙幣入出金制御部１１０は、識別済み紙幣を搬送経路ｋ４を経て装填補充用紙幣カセット１５５に搬送して、この装填補充用紙幣カセット１５５に収納する。紙幣入出金制御部１１０は、こうした紙幣搬送を、入金紙幣カセット１５４に収納済みの紙幣を１枚ずつ繰り出しながら行うので、入金紙幣カセット１５４に収納済み紙幣の全ては、識別部１４２を経由して、図７の中段に示すように、装填補充用紙幣カセット１５５に収納される。この繰り出し収納の際、本体制御部４００は、識別部１４２からの識別結果を受け取り、今回の精査処理に付された紙幣、即ち入金紙幣と出金リジェクト紙幣の混在紙幣のそれぞれについての金種とその枚数を記憶する。この記憶結果は、入金紙幣カセット１５４に収納済みであった入金紙幣（枚数および金種が既知）と、出金リジェクト紙幣（枚数および金種が不知）とについてのそれぞれの枚数および金種のいわゆる合算した集計結果となる。図８は入金紙幣カセット１５４についての精査処理に伴って計数および識別された紙幣金種とその枚数の集計結果を示す説明図である。この図８は、その上段で、入金紙幣カセット１５４からの紙幣繰り出し収納の際に、図示する金種の紙幣が図示する枚数だけ、入金紙幣カセット１５４から装填補充用紙幣カセット１５５に繰り出し収納されたことを表す。この場合、括弧内の数値は、図５にて確定済みの入金紙幣についての記憶結果である。また、図８は、その下段で、後述の精査完了に伴う紙幣分離収納の後に、図示する金種の紙幣が図示する枚数だけ、入金紙幣カセット１５４またはリジェクト回収部１５７に収納されたことを表している。なお、図において出金カセットＡ等は空欄であるが、これは、精査処理が未実施であるのであって、これらカセットについての精査処理に伴い、カセットごとに枚数と金額が計上される。
【００３２】
紙幣入出金制御部１１０は、入金紙幣カセット１５４に収納済みの紙幣（混在紙幣）の全てを識別部１４２を経由して装填補充用紙幣カセット１５５に収納する既述した繰り出し収納に続き、装填補充用紙幣カセット１５５に収納した紙幣を、入金紙幣カセット１５４での入金紙幣と出金リジェクト紙幣とに分けながら、入金紙幣カセット１５４またはリジェクト回収部１５７に回収収納する。即ち、紙幣入出金制御部１１０は、装填補充用紙幣カセット１５５に繰り出し収納済みの紙幣を、当該カセットから一枚ずつ繰り出して、その繰り出し収納済み紙幣の全てを、搬送経路ｋ４に受け渡し、識別部１４２にて識別計数する。そして、紙幣入出金制御部１１０は、図５および図８の集計結果を参照しつつ、識別部１４２での紙幣ごとの識別結果に基づいて、図５に示された金種の紙幣を、入金紙幣として入金紙幣カセット１５４に搬送収納し、図８の下段に示された金種の紙幣を、出金搬送の際にリジェクトを起こした紙幣（出金リジェクト紙幣）として、リジェクト回収部１５７に回収収納する。つまり、紙幣入出金制御部１１０は、入金紙幣カセット１５４の精査処理のために装填補充用紙幣カセット１５５に繰り出し収納した紙幣を、入金紙幣カセット１５４での収納紙幣であった出金リジェクト紙幣と入金紙幣とに区分けして、入金紙幣カセット１５４とリジェクト回収部１５７に回収収納する。こうした回収収納には、種々の手法を適用できるが、本実施例では、入金紙幣カセット１５４に収納済み紙幣は、両替取引に伴って正常に入金された入金紙幣と、新札であるが故に連れ出しにて識別不能とされた出金リジェクト紙幣とであり、これら紙幣は両替取引のみならず各種の紙幣取引において特段の支障を及ぼすものではない。よって、本実施例では、次のような回収収納手法を採用した。
【００３３】
紙幣入出金制御部１１０は、装填補充用紙幣カセット１５５から一枚ずつ紙幣を繰り出して識別部１４２にて識別計数する都度に、その識別した金種が図５に示す入金紙幣の金種に該当すれば、その紙幣を入金紙幣カセット１５４に搬送して回収収納する。こした回収搬送を、図５に示す金種の紙幣が図５に示す枚数だけ入金紙幣カセット１５４に収納されるまで継続する。これにより、入金紙幣カセット１５４の紙幣収納状態は、図５の入金紙幣の収納状態と一致するので、その後に装填補充用紙幣カセット１５５から繰り出される紙幣については、これを、リジェクト回収部１５７に搬送して収納すればよい。こうすれば、識別金種と枚数の照合だけで済むので、処理負荷を軽減できる。なお、入金紙幣カセット１５４に回収収納された紙幣は、金種ごとの枚数と集計金額が一致するものの、精査処理前に入金紙幣カセット１５４に収納されていた紙幣とは、物理的に一致するものではない。しかしながら、入金紙幣カセット１５４に収納された紙幣は、係員による入金紙幣の回収操作により、銀行等にカセットごと持ち出されるので、ＢＴＲ１０での両替取引の運用に特段の支障はない。
【００３４】
この他、次のようにすることもできる。通常、紙幣は紙幣ごとに固有の情報としての記番号を有し、識別部１４２は、金種判別の他、この記番号の読み取りも可能に構成されている。よって、入金紙幣カセット１５４に入金紙幣が収納される際の当該入金紙幣の記番号を記憶しておき、装填補充用紙幣カセット１５５からの上記した回収収納の際に識別部１４２で読み取った記番号を、入金紙幣についての記憶済み記番号と照合し、その一致があった紙幣を、入金紙幣そのものとして、入金紙幣カセット１５４に回収収納するようにすることもできる。こうすれば、両替取引に伴う入金紙幣の何らかの追跡調査が必要な場合に、有益となる。
【００３５】
［精査処理：識別不能発生］
図９は入金紙幣カセット１５４についての精査処理の際に識別不能が起きた場合の紙幣搬送の様子を示す説明図である。入金紙幣カセット１５４には、既述したように入金紙幣と出金リジェクト紙幣とが混在して、その精査処理の際には、入金紙幣および出金リジェクト紙幣は、これを区別することなくカセットから繰り出される。そして、この精査処理のための繰り出し搬送において識別部１４２での識別不能は、入金紙幣と出金リジェクト紙幣とで大きな差が無く起き得る。これは、出金リジェクト紙幣は、新札である故にその出金の際の連れ出しによる識別不能を招きやすいが、図６で説明したような入金紙幣カセット１５４への搬送経路ｋ４等による搬送および収納を既に受けている。よって、出金リジェクト紙幣が、入金紙幣に比べて、入金紙幣カセット１５４からの精査処理に伴う繰り出しに搬送で高い確率で識別不能となることはさほどない。こうしたことから、以下の説明に当たっては、入金紙幣カセット１５４の収納紙幣を入金紙幣と出金リジェクト紙幣とに区別しない。このことは、そもそも紙幣の混在を想定しない出金紙幣カセット１５１〜１５３のそれぞれを精査対象とする場合にも当て嵌めることができる。
【００３６】
精査処理における紙幣の識別不能は予測できないことから、図７で説明したとおり、紙幣入出金制御部１１０は、本体制御部４００の制御を受けながら、搬送機構部１４０（図３参照）を制御する。つまり、紙幣入出金制御部１１０は、図９の上段に示すように、入金紙幣カセット１５４から収納済み紙幣を１枚ずつ繰り出しつつ、その繰り出した紙幣を、搬送経路ｋ４に受け渡した上で識別部１４２にて計数識別する。この際、紙幣入出金制御部１１０は、識別部１４２で正常に識別計数された紙幣を、既述したとおり、搬送経路ｋ４を経て装填補充用紙幣カセット１５５に搬送して、この装填補充用紙幣カセット１５５に収納する。こうした収納に当たり、紙幣入出金制御部１１０は、識別部１４２の識別結果を記憶する。その一方、紙幣入出金制御部１１０は、識別部１４２で識別不能とされた紙幣（精査時リジェクト紙幣）を、図９の下段に示すように、識別部１４２の下流側でｋ１に受け渡して一時保留部１４３に一時的に収納する。こうした識別部１４２での識別結果に応じた紙幣の振分収納は、入金紙幣カセット１５４に収納済みの紙幣が無くなるまで継続されるので、装填補充用紙幣カセット１５５には、金種およびその枚数が既知の紙幣が収納され、一時保留部１４３には、識別不能故に金種や枚数不知の精査時リジェクト紙幣が収納される。この場合、精査対象カセットが出金紙幣カセット１５１〜１５３であれば、精査前のカセット収納済み紙幣の金種とその枚数は既知であることから、一時保留部１４３に識別不能として一時的に収納された精査時リジェクト紙幣の金種と枚数を確定できる。
【００３７】
図９の下段に示すように、一時保留部１４３に精査時リジェクト紙幣が存在した状態となると、紙幣入出金制御部１１０は、この精査時リジェクト紙幣のリトライ処理を実行する。図１０は精査処理の際に識別不能とされた精査時リジェクト紙幣のリトライ処理における紙幣搬送の様子を示す説明図、図１１はリトライ処理に関しての係員報知の内容を例示して示す説明図である。
【００３８】
図１０に示すリトライ処理では、紙幣入出金制御部１１０は、図１０の上段に示すように、一時保留部１４３から収納済み紙幣（精査時リジェクト紙幣）を１枚ずつ繰り出しつつ、その繰り出した紙幣を、搬送経路ｋ１に受け渡した上で識別部１４２にて計数識別する。この際、紙幣入出金制御部１１０は、識別部１４２で正常に識別計数された紙幣を、既述したとおり、搬送経路ｋ４を経て装填補充用紙幣カセット１５５に搬送して、この装填補充用紙幣カセット１５５に収納する。こうした収納に当たり、紙幣入出金制御部１１０は、識別部１４２の識別結果を記憶する。その一方、紙幣入出金制御部１１０は、識別部１４２で識別不能とされた紙幣（精査リトライ時リジェクト紙幣）を、図１０の上段に示すように、識別部１４２の下流側で搬送経路ｋ１に受け渡して紙幣入出口部１４１に一時的に収納する。こうした識別部１４２での識別結果に応じた紙幣の振分収納は、一時保留部１４３に収納済みの紙幣（精査時リジェクト紙幣）が無くなるまで継続されるので、装填補充用紙幣カセット１５５には、金種およびその枚数が既知の紙幣が収納され、紙幣入出口部１４１には、識別不能故に金種や枚数不知の精査リトライ時リジェクト紙幣が収納される。この場合、一時保留部１４３に収納済みの紙幣（精査時リジェクト紙幣）の全てが装填補充用紙幣カセット１５５に収納されれば、その時点で、上記のリトライ処理は終了する。
【００３９】
ところで、精査処理の対象となる入金紙幣カセット１５４、および出金紙幣カセット１５１〜１５３は、連れ出しを引き起こしやすい新札を収納していることから、精査処理における識別部１４２の識別不能は、新札であるが故の連れ出しによる識別不能と予想される。こうした連れ出しは、紙幣が搬送機構部１４０での上記した搬送経路ｋ１等を搬送される度に、起き難くなることがよく知られている。よって、一時保留部１４３に収納済みの紙幣（精査時リジェクト紙幣）のリトライ処理は、通常、一度で済むことが多いものの、図１０の上段に示すように紙幣入出口部１４１に識別部１４２で識別不能とされた紙幣（精査リトライ時リジェクト紙幣）が収納された場合には、リトライ処理を繰り返す。つまり、図１０の下段に示すように、紙幣入出金制御部１１０は、紙幣入出口部１４１から収納済み紙幣（精査リトライ時リジェクト紙幣）を１枚ずつ繰り出しつつ、その繰り出した紙幣を、搬送経路ｋ１に受け渡した上で識別部１４２にて計数識別する。この際、紙幣入出金制御部１１０は、識別部１４２で正常に識別計数された紙幣を、既述したとおり、搬送経路ｋ４を経て装填補充用紙幣カセット１５５に搬送して、この装填補充用紙幣カセット１５５に収納する。こうした収納に当たり、紙幣入出金制御部１１０は、識別部１４２の識別結果を記憶する。その一方、紙幣入出金制御部１１０は、識別部１４２で識別不能とされた紙幣（精査リトライ時リジェクト紙幣）を、図１０の下段に示すように、識別部１４２の下流側で搬送経路ｋ１に受け渡して一時保留部１４３に改めて一時的に収納する。こうした識別部１４２での識別結果に応じた紙幣の振分収納は、紙幣入出口部１４１に収納済みの紙幣（精査リトライ時リジェクト紙幣）が無くなるまで継続されるので、装填補充用紙幣カセット１５５には、金種およびその枚数が既知の紙幣が収納され、一時保留部１４３には改めて識別不能故に金種や枚数不知の精査リトライ時リジェクト紙幣が収納される。この場合にあっても、既述したように新札の搬送履歴により識別部１４２での識別不能は起き難くなるので、図１０の下段に示すように、紙幣入出口部１４１に紙幣（精査リトライ時リジェクト紙幣）が収納される事態は、起き難いと予想される。なお、図１０のおけるリトライ処理において、一時保留部１４３や紙幣入出口部１４１に精査リトライ時リジェクト紙幣が収納されない状態となると、装填補充用紙幣カセット１５５に精査処理伴い収納された紙幣は、精査対象カセットであった入金紙幣カセット１５４に戻されて収納される。
【００４０】
紙幣入出金制御部１１０は、図１０の下段に示すように、紙幣入出口部１４１に紙幣（精査リトライ時リジェクト紙幣）が収納されると、操作部１２に或いは係員専用の図示しない表示部に図１１の表示を行う。この図１１の表示には、金種判別不能の紙幣が残っている旨の表示と、係員による再度のリトライ処理の実行要否の決定ボタン（中止ボタン、実行ボタン）の表示とが含まれ、係員はいずれかのボタン操作を行う。紙幣入出金制御部１１０は、このボタン操作に応じて、上記のリトライ処理の終了、或いは図１０の上段と下段に示すリトライ処理を再実行する。なお、中止ボタンを経てリトライ処理が終了した場合、一時保留部１４３や紙幣入出口部１４１に紙幣が残っていれば、その紙幣は、係員による目視検査を経て、例えば分配リジェクト回収部１５６に係員により収納され、その枚数や金種は操作部１２での係員操作を経て本体制御部４００に入力される。
【００４１】
以上説明したように、本実施例のＢＴＲ１０では、顧客の入金した貨幣を異なる金種の貨幣に両替して出金する両替取引を行うに当たり、顧客からの紙幣の入金と顧客への紙幣の出金に関与する紙幣入出口部１４１と、入金紙幣の保管用に準備された入金紙幣カセット１５４と、両替して出金される出金紙幣の保管用に金種ごとに準備された出金紙幣カセット１５１〜１５３と、搬送される紙幣ごとに金種を少なくとも識別する識別部１４２を備え、入金紙幣を識別部１４２を経由して入金紙幣カセット１５４に搬送して収納する収納搬送と、金種ごとの出金紙幣カセット１５１〜１５３から繰り出した出金紙幣を識別部１４２を経由して紙幣入出口部１４１に搬送して出金する出金搬送とを行うと共に、該出金搬送の際に識別部１４２による識別が不能であった出金リジェクト紙幣を、紙幣の収納と繰り出しが可能な繰出収納カセットである入金紙幣カセット１５４に収納する紙幣入出金制御部１１０と、カセットに収納済みの全ての紙幣を繰り出して識別部１４２を経由してカセット外に搬送し、識別部１４２の識別結果に基づいて、カセットに収納済み紙幣の金額と枚数とを確定する精査処理を行う本体制御部４００および紙幣入出金制御部１１０を備え、出金リジェクト紙幣が収納された入金紙幣カセット１５４を少なくとも精査処理の対象カセットとする（図７）。このため、本実施例によれば、入金紙幣の保管用の入金紙幣カセット１５４と出金紙幣の保管用の出金紙幣カセット１５１〜１５３との区分運用を図った上で、その運用されるカセットに収納済みの紙幣の精査管理が可能なＢＴＲ１０を提供することができる。
【００４２】
また、本実施例では、入金紙幣カセット１５４への入金紙幣の入金搬送の際に、識別部１４２による識別結果に基づいて、入金紙幣カセット１５４に収納済みの入金紙幣についての金種と枚数とを算出して記憶する（図５）。また、入金紙幣カセット１５４について実行した精査処理の際に識別部１４２の識別結果に基づいて確定した入金紙幣カセット１５４に収納済み紙幣（入金紙幣）の金額と枚数とを、図５の金種と枚数と比較して、入金紙幣カセット１５４に収納された出金リジェクト紙幣の金額と枚数とを求める（図８）。このため、出金リジェクト紙幣を収納する入金紙幣カセット１５４については、収納紙幣の枚数と金額を的確に管理できる。
【００４３】
また、本実施例では、入金紙幣カセット１５４についてなした精査処理済みの紙幣のうち、入金紙幣カセット１５４に収納された出金リジェクト紙幣に相当する金種と枚数の紙幣を、識別部１４２の識別結果に応じて入金紙幣カセット１５４以外のリジェクト回収部１５７に収納する（図７下段）。よって、入金紙幣カセット１５４には、精査処理を経て、顧客からの入金紙幣に相当する分だけの金種と枚数の紙幣を収納できる。そして、出金リジェクト紙幣に相当する金種と枚数の紙幣については、その枚数や金種を管理した上で、リジェクト回収部１５７を介して、通常の係員管理とすることができる。
【００４４】
また、本実施例では、精査処理にて識別不能な事態が起きると、一時保留部１４３や紙幣入出口部１４１を利用して紙幣搬送を繰り返すリトライ処理を実行する（図１０）。よって、本実施例によれば、精査処理で連れ出しにより識別不能とされる紙幣を極力少なくできる。なお、図１０に示した精査リトライ処理は、既存の精査処理を行う場合にも適用できる。
【００４５】
［実施例２］
本実施例では、出金リジェクト紙幣を出金紙幣カセット１５１〜１５３のいずれかに収納する点に特徴がある。図１２は実施例２での両替出金の前後におけるカセット内の紙幣収納の様子と出金リジェクト紙幣の収納搬送の様子とを示す説明図である。この実施例２では、搬送経路ｋ３を経て一時保留部１４３に一時的に収納した出金リジェクト紙幣を（図１２中段）、図１２の下段に示すように、識別部１４２を経由した後に、搬送経路ｋ４にて出金紙幣カセット１５１〜１５３のいずれかに収納する。このカセット選択は、識別部１４２での金種識別によってなされる。この実施例２であっても、入金紙幣の保管用の入金紙幣カセット１５４と出金紙幣の保管用の出金紙幣カセット１５１〜１５３との区分運用を図った上で、その運用されるカセットに収納済みの紙幣の精査管理が可能となる。そして、この実施例２では、出金リジェクト紙幣を出金紙幣カセット１５１〜１５３に収納するので、この出金リジェクト紙幣を両替取引の出金紙幣として再利用できる。
【００４６】
［実施例３］
本実施例では、出金リジェクト紙幣を装填補充用紙幣カセット１５５に収納する点に特徴がある。図１３は実施例３での両替出金の前後におけるカセット内の紙幣収納の様子と出金リジェクト紙幣の収納搬送の様子とを示す説明図である。この実施例３では、搬送経路ｋ３を経て一時保留部１４３に一時的に収納した出金リジェクト紙幣を（図１３中段）、図１３の下段に示すように、識別部１４２を経由した後に、搬送経路ｋ４にて装填補充用紙幣カセット１５５に収納する。この実施例３であっても、入金紙幣の保管用の入金紙幣カセット１５４と出金紙幣の保管用の出金紙幣カセット１５１〜１５３との区分運用を図った上で、その運用されるカセットに収納済みの紙幣の精査管理が可能となる。そして、この実施例３では、出金リジェクト紙幣を両替取引の紙幣入出金に関与しない装填補充用紙幣カセット１５５に収納するので、装填補充用紙幣カセット１５５への出金リジェクト紙幣の収納を入金紙幣カセット１５４と出金紙幣カセット１５１〜１５３を用いた両替取引と区別して実行できることから、次の両替取引に速やかに移行できる。
【００４７】
以上、本発明は上記した実施例に限定されるものではなく、様々な変形例が含まれる。例えば、上記の実施例１では、精査処理後において、出金リジェクト紙幣に相当する枚数と金種の紙幣をリジェクト回収部１５７に収納するようにしたが（図７下段）、このリジェクト回収部１５７を装備しない構成であってもよい。この場合には、精査処理の際、出金リジェクト紙幣を、一旦、一時保留部１４３や紙幣入出口部１４１に退避目的で収納し、その後、装填補充用紙幣カセット１５５に収納すればよい。
【００４８】
また、出金リジェクト紙幣を一時保留部１４３に一時退避させ（図６中段）、出金動作の完了後に出金リジェクト紙幣を入金紙幣カセット１５４に収納するようにしているが、一時保留部１４３への一時退避ではなく、装填補充用紙幣カセット１５５への一時的な収納退避を図る方式でもよい。
【００４９】
また、上記した実施例は、本発明を分かり易く説明するために詳細にその構成等につき説明したのであり、必ずしも実施例に記した全ての構成を備えるものに限定されるものではない。また、ある実施例の構成の一部を他の実施例の構成に置き換えることも可能であり、ある実施例の構成に他の実施例の構成を加えることも可能である。また、各実施例の構成の一部について、他の構成の追加、削除、置換をすることも可能である。
更に、上記の各構成、機能、処理部、処理手段等は、それらの一部または全部を、例えば集積回路で設計等することによりハードウェアで実現してもよい。また、上記の各構成、機能等は、プロセッサがそれぞれの機能を実現するプログラムを解釈し、実行することによりソフトウェアで実現してもよい。各機能を実現するプログラム、テープ、ファイル等の情報は、メモリーや、ハードディスク、ＳＳＤ（Solid State Drive）等の記録装置、または、ＩＣカード、ＳＤカード、ＤＶＤ等の記録媒体におくことができる。
また、制御線や情報線は説明上必要と考えられるものを示しており、製品上、必ずしも全ての制御線や情報線を示しているとは限らない。実際には殆ど全ての構成が相互に接続されていると考えてよい。
【符号の説明】
【００５０】
１０…自動両替取引装置（ＢＴＲ）
１２…操作部
１３…紙幣入出金口
１４…硬貨取出口
１５…包装硬貨取出口
１６…カード挿入口
１７…明細票取出口
１８…取扱状態表示部
１００…紙幣処理装置
１１０…紙幣入出金制御部
１２０…入出金・搬送制御部
１３０…精査・搬送制御部
１４０…搬送機構部
１４１…紙幣入出口部
１４２…識別部
１４３…一時保留部
１４４…搬送経路部
１５０…紙幣金庫部
１５１〜１５３…出金紙幣カセット
１５４…入金紙幣カセット
１５５…装填補充用紙幣カセット
１５６…分配リジェクト回収部
１５７…リジェクト回収部
１５８…取忘れ回収部
１５９…収納繰り出し機構
２１０…カード機構部
２２０…明細票処理装置
２３０…硬貨処理装置
２３１…硬貨出金機構部
２３２…包装硬貨出金機構部
２３３…手数料硬貨入金部
４００…本体制御部
Ｓ…紙幣
ｋ１〜ｋ４…搬送経路
【図１】
2014016755.tif 000003
【図２】
2014016755.tif 000004
【図３】
2014016755.tif 000005
【図４】
2014016755.tif 000006
【図５】
2014016755.tif 000007
【図６】
2014016755.tif 000008
【図７】
2014016755.tif 000009
【図８】
2014016755.tif 000010
【図９】
2014016755.tif 000011
【図１０】
2014016755.tif 000012
【図１１】
2014016755.tif 000013
【図１２】
2014016755.tif 000014
【図１３】
2014016755.tif 000015